【手続補正書】
【提出日】平成16年8月5日(2004.8.5)
【手続補正１】
【補正対象書類名】明細書
【補正対象項目名】特許請求の範囲
【補正方法】変更
【補正の内容】
【特許請求の範囲】
【請求項１】
ズームレンズ及びその像側に配された撮像素子を備えた電子撮像装置において、
前記ズームレンズは、物体側より順に、負の屈折力を有する第１レンズ群と、正の屈折力を有する第２レンズ群と、正の屈折力を有する第３レンズ群よりなり、無限遠物点合焦時における広角端から望遠端への変倍に際して前記第２レンズ群が物体側へのみ移動し、前記第３レンズ群が第２レンズ群との間隔を変化させつつ移動し、前記第２レンズ群は、空間を挟んで物体側から順に、第２群前群、第２群後群からなり、前記第２群前群は、物体側から順に、正レンズ、負レンズの２枚接合レンズからなり、前記第２群後群は、物体側から順に、負レンズ、正レンズの２枚のレンズからなり、かつ、第２レンズ群の最も像側の正レンズは非球面を有し、以下の条件を満足することを特徴とする電子撮像装置。
（１）    −０．６＜（Ｃ24F −Ｃ23R ）・Ｌ＜０．６
（２）    −１．２＜（Ｃ23F −Ｃ24R ）・Ｌ＜０．３
（３）    −０．８＜Ｌ／ｆ2R＜０．４
ただし、Ｃ23F ＝１／Ｒ23F 、Ｃ23R ＝１／Ｒ23R 、Ｃ24F ＝１／Ｒ24F 、Ｃ24R ＝１／Ｒ24R であり、Ｒ23F 、Ｒ23R 、Ｒ24F 、Ｒ24R は第２群後群の各面の曲率半径であり、Ｒ23F は第２群後群の入射面、Ｒ24R は第２群後群の射出面の光軸上の曲率半径、Ｒ23R は前記入射面を有する負レンズの像側面、Ｒ24F は前記射出面を有する正レンズの物体側面の光軸上の曲率半径、Ｌは撮像素子の有効撮像領域の対角長、ｆ2Rは第２群後群の合成焦点距離である。
【請求項２】
ズームレンズ及びその像側に配された撮像素子を備えた電子撮像装置において、
前記ズームレンズは、物体側より順に、負の屈折力を有する第１レンズ群と、正の屈折力を有する第２レンズ群と、正の屈折力を有する第３レンズ群よりなり、無限遠物点合焦時における広角端から望遠端への変倍に際して前記第２レンズ群が物体側へのみ移動し、前記第３レンズ群が第２レンズ群との間隔を変化させつつ移動し、前記第２レンズ群は、空間を挟んで物体側から順に、第２群前群、第２群後群からなり、前記第２群前群は１枚の正レンズからなり、前記第２群後群は、物体側から順に、負レンズ、正レンズの２枚のレンズからなり、かつ、第２レンズ群の最も像側の正レンズは非球面を有し、以下の条件を満足することを特徴とする電子撮像装置。
（１）    −０．６＜（Ｃ24F −Ｃ23R ）・Ｌ＜０．６
（２）    −１．２＜（Ｃ23F −Ｃ24R ）・Ｌ＜０．３
（３）    −０．８＜Ｌ／ｆ2R＜０．４
ただし、Ｃ23F ＝１／Ｒ23F 、Ｃ23R ＝１／Ｒ23R 、Ｃ24F ＝１／Ｒ24F 、Ｃ24R ＝１／Ｒ24R であり、Ｒ23F 、Ｒ23R 、Ｒ24F 、Ｒ24R は第２群後群の各面の曲率半径であり、Ｒ23F は第２群後群の入射面、Ｒ24R は第２群後群の射出面の光軸上の曲率半径、Ｒ23R は前記入射面を有する負レンズの像側面、Ｒ24F は前記射出面を有する正レンズの物体側面の光軸上の曲率半径、Ｌは撮像素子の有効撮像領域の対角長、ｆ2Rは第２群後群の合成焦点距離である。
【請求項３】
ズームレンズ及びその像側に配された撮像素子を備えた電子撮像装置において、
前記ズームレンズは、物体側より順に、負の屈折力を有する第１レンズ群と、正の屈折力を有する第２レンズ群と、正の屈折力を有する第３レンズ群よりなり、無限遠物点合焦時における広角端から望遠端への変倍に際して前記第２レンズ群が物体側へのみ移動し、前記第３レンズ群が第２レンズ群との間隔を変化させつつ移動し、前記第２レンズ群は、空間を挟んで物体側から順に、第２群前群、第２群後群からなり、前記第２群前群は、物体側から順に、正レンズ、負レンズの２枚接合レンズからなり、前記第２群後群は１枚の正レンズからなり、かつ、第２レンズ群の最も像側の正レンズは非球面を有し、以下の条件を満足することを特徴とする電子撮像装置。
（２）    −１．２＜（Ｃ23F −Ｃ24R ）・Ｌ＜０．３
（３）    −０．８＜Ｌ／ｆ2R＜０．４
ただし、Ｃ23F ＝１／Ｒ23F 、Ｃ24R ＝１／Ｒ24R であり、Ｒ23F 、Ｒ24R は第２群後群の各面の曲率半径であり、Ｒ23F は第２群後群の入射面、Ｒ24R は第２群後群の射出面の光軸上の曲率半径、Ｌは撮像素子の有効撮像領域の対角長、ｆ2Rは第２群後群の合成焦点距離である。
【請求項４】
前記第２レンズ群の各レンズ群が以下の条件を満足することを特徴とする請求項１記載の電子撮像装置。
（４）    ３０＜ν21−ν22−ν23−ν24＜５５
ただし、ν21、ν22、ν23、ν24はそれぞれ第２レンズ群の物体側から順の第１レンズ、第２レンズ、第３レンズ、第４レンズにおけるｄ線基準の媒質のアッベ数である。
【請求項５】
以下の条件を満足する請求項１、３又は４の何れか１項記載の電子撮像装置。
（９）    −０．３＜ｆ2F／Ｒ21R ＜０．８
ただし、Ｒ21R は第２レンズ群の最も物体側レンズの像側面の光軸上曲率半径、ｆ2Fは第２群前群の合成焦点距離である。
【請求項６】
前記第２レンズ群の最も像側の正レンズにおける非球面形状が以下の条件を満足することを特徴とする請求項１から５の何れか１項記載の電子撮像装置。
（５）  １．２×１０-2・Ｌ＞｜Asp24 ｜＞  ５・｜Asp21F｜
ただし、Asp21Fは第２レンズ群の最も物体側の正レンズの物体側面の光軸上での曲率半径を有する球面に対し、光軸からの高さが０．３Ｌでの非球面偏倚量、Asp24 は第２レンズ群の最も像側の正レンズの非球面の光軸上での曲率半径を有する球面に対し、光軸からの高さが０．３Ｌでの非球面偏倚量であり、第２レンズ群の最も物体側の正レンズの物体側面が球面の場合は非球面偏倚量Asp21Fを０とする。
【請求項７】
第２レンズ群の最も像側レンズは像側面のみが非球面であって、第２群後群中に空間を設けないことを特徴とする請求項１から６の何れか１項記載の電子撮像装置。
【請求項８】
以下の条件を満足する請求項１から７の何れか１項記載の電子撮像装置。
（６）    −１．２＜（Ｒ21F −Ｒ22R ）／（Ｒ21F ＋Ｒ22R ）＜０．３
ただし、Ｒ21F は第２群前群における入射面、Ｒ22R は第２群前群の射出面の光軸上の曲率半径である。
【請求項９】
以下の条件を満足する請求項１から８の何れか１項記載の電子撮像装置。
（７）    −２．５＜ｆ3 ／ｆ2R＜０．３
（８）    ０．０２＜ｄ22／Ｌ＜０．２２
ただし、ｆ2Rは第２群後群の合成焦点距離、ｆ3 は第３レンズ群の焦点距離、ｄ22は第２群前群の射出面から第２群後群の入射面までの間隔である。
【請求項１０】
無限遠物点合焦時における広角端から望遠端への変倍に際して、前記第３レンズ群が像側に凸の軌跡で移動することを特徴とする請求項１から９の何れか１項記載の電子撮像装置。
【請求項１１】
前記第１レンズ群と第２レンズ群との間に絞りを配したことを特徴とする請求項１から１０の何れか１項記載の電子撮像装置。
【請求項１２】
変倍時に前記絞りが第２レンズ群と一体で移動することを特徴とする請求項１１記載の電子撮像装置。
【請求項１３】
以下の条件を満足することを特徴とする請求項１から１２の何れか１項記載の電子撮像装置。
（Ａ）    １．０８＜Ｒ22R ／Ｒ21F ＜１０
ただし、Ｒ21F は第２群前群の入射面の光軸上曲率半径、Ｒ22R は第２群前群の射出面の光軸上曲率半径である。
【請求項１４】
以下の条件を満足することを特徴とする請求項１から１３の何れか１項記載の電子撮像装置。
（10）    −１．５＜ｆ2 ／ｆ2R＜０．３
ただし、ｆ2 は第２レンズ群全体の合成焦点距離、ｆ2Rは第２群後群の合成焦点距離である。
【請求項１５】
前記第３レンズ群は１枚の正レンズで構成されていることを特徴とする請求項１から１３の何れか１項記載の電子撮像装置。
【請求項１６】
前記第３レンズ群の正レンズが以下の条件を満足することを特徴とする請求項１５記載の電子撮像装置。
（11）    −１．０＜（Ｒ31＋Ｒ32）／（Ｒ31−Ｒ32）＜１．２
ただし、Ｒ31、Ｒ32はそれぞれ第３レンズ群の正レンズの物体側面及び像側面の光軸上曲率半径である。
【請求項１７】
前記第３レンズ群の移動により近距離物点への合焦を行うことを特徴とする請求項１から１６の何れか１項記載の電子撮像装置。
【請求項１８】
前記ズームレンズの広角端半画角ωW が２７°から４２°の範囲にあることを特徴とする請求項１から１７の何れか１項記載の電子撮像装置。